(57)【要約】      （修正有）【課題】構成がきわめて簡単であり、しかも異音を発することなくケーブル部材に緊張力を付与することができる自動車用ウィンドウレギュレータを提供する。【解決手段】樹脂製のモジュールベース１に、一体的に掲載されて、ケーブルガイド６，７，８，９と駆動部１１との間におけるケーブル部材１０の部位を保持し、かつ弾性復元力によってケーブル部材１０を緊張させる方向に付勢する弾性突出部１２，１３を備えることを特徴とする。【選択図】        図１
2005023599.tif 000002
【特許請求の範囲】
【請求項１】
ドアのインナーパネルに取り付けられる樹脂製のモジュールベースと、
前記モジュールベースに取り付けられて、端部にケーブルガイドを有するガイドレールと、
前記ガイドレールに移動自在にガイドされてウィンドウパネルを支持する移動部材と、
前記モジュールベースに取り付けられて、回転駆動されるドラム部材を有する駆動部と、
前記ドラム部材に巻回されて、端部が前記ケーブルガイドを通して前記移動部材に連結されるケーブル部材と、
前記モジュールベースに一体的に形成されて、前記ケーブルガイドと前記駆動部との間における前記ケーブル部材の部位を保持し、かつ弾性復元力によって前記ケーブル部材を緊張させる方向に付勢する弾性突出部と、
を備えることを特徴とする自動車用ウィンドウレギュレータ。
【請求項２】
前記ケーブル部材は、前記ケーブルガイドと前記駆動部との間に架け渡されるアウターケーシングを有し、
前記弾性突出部は前記アウターケーシングの外周部を保持する
ことを特徴とする請求項１に記載の自動車用ウィンドウレギュレータ。
【請求項３】
前記弾性突出部に、前記ケーブル部材を弾性的に保持する保持部を一体的に形成したことを特徴とする請求項１または２に記載の自動車用ウィンドウレギュレータ。
【請求項４】
前記ケーブルガイドと前記駆動部との間における前記ケーブル部材の部位は、その両端部が前記ケーブルガイドに対する入出方向、および前記駆動部に対する入出方向に沿って延在するように、滑らかな曲線を描いて湾曲し、
前記弾性突出部は、前記湾曲の度合いを大きくする方向に前記ケーブル部材の部位を付勢する
ことを特徴とする請求項１から３のいずれかに記載の自動車用ウィンドウレギュレータ。
【発明の詳細な説明】
【０００１】
【発明の属する技術分野】
本発明は、モジュール化された自動車用ウィンドウレギュレータに関し、さらに詳細には、ウィンドウパネルの駆動力伝達手段としてケーブル部材を用いた自動車用ウィンドウレギュレータに関するものである。
【０００２】
【従来の技術】
一般に、この種のウィンドウレギュレータはドアのインナーパネルに取り付けられ、上下方向に延在するように備えたガイドレールによって、ウィンドウパネルを支持する移動部材が移動自在にガイドされる。その移動部材の上側と下側には上下のケーブルが連結されており、それらのケーブルは、駆動部に備わるドラム部材に巻回されている。そのドラム部材の回転方向に応じて、上下のケーブルのいずれか一方が引っ張られつつ、他方が繰り出されて緩められることにより、移動部材がウィンドウパネルと共に上方または下方に移動する。例えば、移動部材を上方に移動させるときには、上側のケーブルがドラム部材の巻取り力とウィンドウパネルの重量によって引っ張られて緊張し、かつ下側のケーブルが緩められる。逆に、移動部材を下方に移動させるときには、下側のケーブルが引っ張られて緊張し、かつ上側のケーブルが緩められることになる。
【０００３】
従来のウィンドウレギュレータには、緩められたケーブルに弛みが生じないように、ケーブルに緊張力を付与する緊張力付与手段が組み込まれている。ケーブルに弛みが生じた場合には、ウィンドウパネルの円滑な上下動が阻害されるおそれがある。
【０００４】
特許文献１には、緊張力付与手段として、ケーブルに緊張力を付与するためのコイルスプリングを駆動部（同公報では、駆動手段）側に備える構成が記載されている。そのコイルスプリングは、駆動部側に取り付けられるアジャストボルトと、ケーブルのアウターケーシングの端部に取り付けられるケーシング端取付具との間に備えられ、ケーシング端取付具を介してアウターケーシングを付勢することにより、ケーブルに緊張力を付与する構成となっている。また特許文献２には、緊張力付与手段として、ケーブルに緊張力を付与するためのコイルスプリングを移動部材（同公報では、キャリア）側に備える構成が記載されている。そのコイルスプリングは、移動部材の接続室内に収容されて、ケーブルの端部に取り付けられる係合駒を付勢することにより、ケーブルに緊張力を付与する構成となっている。
【０００５】
【特許文献１】
実開平２−２７４８８号公報
【特許文献２】
特開２００２−４７１０号公報
【０００６】
【発明が解決しようとする課題】
しかしながら、上記従来の緊張力付与手段は、いずれも移動部材の移動時に作動音を発生するおそれがある。すなわち、特許文献１の構成においては、移動部材が移動するときに、コイルスプリングの伸縮を伴ってアジャストボルトとケーシング端取付具とが摺接して異音を発するおそれがある。同様に、特許文献２の構成においては、移動部材が移動するときに、コイルスプリングの伸縮を伴って接続室と係合駒とが摺接して異音を発するおそれがある。このような異音の発生を防止するためには、緊張力付与手段の加工精度を高めなければならず、自動車用ウィンドウレギュレータの高価格化を招くおそれがある。また、上下のケーブルのそれぞれに対してコイルスプリングを組み付けるため、緊張力付与手段自体、ひいては自動車用ウィンドウレギュレータ全体の構成の複雑化、および組み付け作業性の悪化を招くおそれがあった。
【０００７】
本発明の目的は、構成がきわめて簡単であり、しかも異音を発することなくケーブル部材に緊張力を付与することができる自動車用ウィンドウレギュレータを提供することにある。
【０００８】
【課題を解決するための手段】
請求項１に記載の本発明の自動車用ウィンドウレギュレータは、ドアのインナーパネルに取り付けられる樹脂製のモジュールベースと、前記モジュールベースに取り付けられて、端部にケーブルガイドを有するガイドレールと、前記ガイドレールに移動自在にガイドされてウィンドウパネルを支持する移動部材と、前記モジュールベースに取り付けられて、回転駆動されるドラム部材を有する駆動部と、前記ドラム部材に巻回されて、端部が前記ケーブルガイドを通して前記移動部材に連結されるケーブル部材と、前記モジュールベースに一体的に形成されて、前記ケーブルガイドと前記駆動部との間における前記ケーブル部材の部位を保持し、かつ弾性復元力によって前記ケーブル部材を緊張させる方向に付勢する弾性突出部と、を備えることを特徴とする。
【０００９】
請求項２に記載の本発明の自動車用ウィンドウレギュレータは、請求項１において、前記ケーブル部材は、前記ケーブルガイドと前記駆動部との間に架け渡されるアウターケーシングを有し、前記弾性突出部は前記アウターケーシングの外周部を保持することを特徴とする。
【００１０】
請求項３に記載の本発明の自動車用ウィンドウレギュレータは、請求項１または２において、前記弾性突出部に、前記ケーブル部材を弾性的に保持する保持部を一体的に形成したことを特徴とする。
【００１１】
請求項４に記載の本発明の自動車用ウィンドウレギュレータは、請求項１から３のいずれかにおいて、前記ケーブルガイドと前記駆動部との間における前記ケーブル部材の部位は、その両端部が前記ケーブルガイドに対する入出方向、および前記駆動部に対する入出方向に沿って延在するように、滑らかな曲線を描いて湾曲し、前記弾性突出部は、前記湾曲の度合いを大きくする方向に前記ケーブル部材の部位を付勢することを特徴とする。
【００１２】
【発明の実施の形態】
以下、本発明の実施形態を図面に基づいて説明する。
【００１３】
図１は、本発明のモジュール化された自動車用ウィンドウレギュレータの正面図であり、樹脂材料によって成型されたモジュールベース１には、前後一対のガイドレール２，３が平行に取り付けられている。ガイドレール２，３には、不図示のウィンドウガラス（ウィンドウパネル）を支持するキャリア（移動部材）４，５が移動自在にガイドされている。ガイドレール２，３の上端および下端に取り付けられたケーブルガイド６，７，８，９の間には、ガイドレール２，３の間にてクロスするようにケーブル（ケーブル部材）１０が配索されている。本例の場合、ケーブルガイド６，８，９はガイドローラを用いてケーブル１０の配索方向を変更する構成とされ、ケーブルガイド７はガイド面に沿わせるようにしてケーブル１０の配索方向を変更する構成とされている。
【００１４】
ケーブル１０において、ガイドレール２に沿って延在する部分はキャリア４に連結され、同様に、ガイドレール３に沿って延在する部分はキャリア５に連結されている。モジュールベース１には、モータによって回転駆動されるドラム（ドラム部材）１１Ａを有する駆動機構（駆動部）１１が取り付けられている。駆動機構１１はガイドレール２，３の間に位置し、ドラム１１Ａにはケーブル１０の下側部分１０−１と上側部分１０−２が巻回される。ケーブル１０の下側部分（以下、「下側ケーブル」ともいう）１０−１は駆動機構１１からケーブルガイド７に導かれ、一方、ケーブル１０の上側部分（以下、「上側ケーブル」ともいう）１０−２は駆動機構１１からケーブルガイド８に導かれる。上側ケーブル１０−２は、ケーブルガイド８と駆動機構１１との間に掛け渡されるアウターケーシング１０Ａ（図３参照）内に軸線方向移動自在に挿入され、さらに、そのアウターケーシング１０Ａは、駆動機構１１に対しては軸線方向移動自在に連結されている。同様に、下側ケーブル１０−１は、ケーブルガイド７と駆動機構１１との間に掛け渡されるアウターケーシング１０Ａ内に軸線方向移動自在に位置し、さらに、そのアウターケーシング１０Ａは、駆動機構１１に対しては軸線方向移動自在に連結されている。また、ケーブルガイド６，９の間に位置するケーブル１０の部分１０−３も同様に、それらのケーブルガイド６，９の間に掛け渡されるアウターケーシング１０Ａ内に軸線方向移動自在に位置する。
【００１５】
樹脂製のモジュールベース１には、弾性突出部１２，１３が一体的に形成されている。弾性突出部１２は、その弾性復元力によって、下側ケーブル１０−１をそのアウターケーシング１０Ａと共に矢印Ｆ１方向に付勢する。弾性突出部１３は、その弾性復元力によって、上側ケーブル１０−２をそのアウターケーシング１０Ａと共に矢印Ｆ２方向に付勢する。弾性突出部１３の先端には、図２および図３のように、矢印Ｆ２方向に湾曲するフック部（保持部）１３Ａが形成されており、このフック部１３Ａによって、上側ケーブル１０−２がそのアウターケーシング１０Ａと共に弾性的に保持されて抜け止めされる。同様に、弾性突出部１２の先端には、矢印Ｆ１方向に湾曲するフック部（保持部）１２Ａが形成されており、このフック部１２Ａによって、下側ケーブル１０−１がそのアウターケーシング１０Ａと共に弾性的に保持されて抜け止めされる。
【００１６】
下側ケーブル１０−１は、弾性突出部１２を矢印Ｆ１方向と逆のＦ１′方向に撓ませるように配索され、また上側ケーブル１０−２は、弾性突出部１３を矢印Ｆ２方向と逆のＦ２′方向に撓ませるように配索される。つまり、下側ケーブル１０−１と上側ケーブル１０−２は、それらが配索された初期状態（図中実線の状態）から、常に弾性突出部１２，１３の弾性復元力によって矢印Ｆ１，Ｆ２方向に付勢されて緊張力が付与される。下側ケーブル１０−１は、その両端部がケーブルガイド７に対する入出方向（矢印Ａ１方向）およびドラム１１Ａに対する入出方向（Ｂ１）に沿って延在するように、滑らかな曲線（図１中の右方に膨出する曲線）を描いて湾曲し、その湾曲の度合いを大きくするように弾性突出部１２が下側ケーブル１０−１を矢印Ｆ１方向に付勢する。同様に、上側ケーブル１０−２は、その両端部がケーブルガイド８に対する入出方向（矢印Ａ２方向）およびドラム１１Ａに対する入出方向（Ｂ２）に沿って延在するように、滑らかな曲線（図１中の左方に膨出する曲線）を描いて湾曲し、その湾曲の度合いを大きくするように弾性突出部１３が上側ケーブル１０−２を矢印Ｆ２方向に付勢する。
【００１７】
このように構成されたウィンドウレギュレータはドアのインナーパネルに取り付けられ、駆動機構１１のドラム１１Ａの回転方向に応じて、キャリア４，５と共にウィンドウパネルが上下動する。すなわち、ドラム１１Ａが一方向（図３における時計方向）に回転したときに、上側ケーブル１０−２がドラム１１Ａに巻き取られ、かつ下側ケーブル１０−１がドラム１１Ａから繰り出されることにより、キャリア４，５と共にウィンドウパネルが上方に移動する。逆に、ドラム１１Ａが他方向（図３における反時計方向）に回転したときには、下側ケーブル１０−１がドラム１１Ａに巻き取られ、かつ上側ケーブル１０−２がドラム１１Ａから繰り出されることにより、キャリア４，５と共にウィンドウパネルが下方に移動する。
【００１８】
したがって、ウィンドウパネルが上方に移動する際には、上側ケーブル１０−２が引っ張られて緊張し、かつ下側ケーブル１０−１が緩められることになる。逆に、ウィンドウパネルが下方に移動する際には、下側ケーブル１０−１が引っ張られて緊張し、かつ上側ケーブル１０−２が緩められることになる。弾性突出部１２は、下側ケーブル１０−１が緩められたときにＦ１方向の緊張力を付与して弛みの発生を防止し、下側ケーブル１０−１が引っ張られたときには、それが矢印Ｆ１と逆のＦ１′方向に大きく変位しないように、その位置を規制する。同様に、弾性突出部１３は、上側ケーブル１０−２が緩められたときにＦ２方向の緊張力を付与して弛みの発生を防止し（図３中の２点鎖線の状態）、上側ケーブル１０−２が引っ張られたときには、それが矢印Ｆ２と逆のＦ２′方向に大きく変位しないように、その位置を規制する（図３中の破線の状態）。
【００１９】
このように弾性突出部１２，１３は、それ自体の弾性復元力によってケーブル１０−１，１０−２に緊張力を付与するため、スプリングなどを用いた場合のような作動音の発生がない。また、弾性突出部１２，１３をモジュールベース１に一体成形するため、きわめて簡易な構成によって緊張力を付与することができる。また、本例における弾性突出部１２，１３は、弾性変形しているときの形状が図３中の実線のように斜め傾斜する形状であるため、フック部１２Ａ，１３Ａにケーブル１０−１，１０−２を止める際には、弾性突出部１２，１３がケーブル１０−１，１０−２によって基準位置（図３に示す２点鎖線の位置あるいは、そのＦ２方向側の近傍位置）からＦ１′，Ｆ２′方向に撓まされることによって、それらのケーブル１０−１，１０−２を弾性突出部１２，１３の傾斜部分に沿って移動させてスムーズに止めることができる。
【００２０】
また、下側ケーブル１０−１は、その両端部分が矢印Ａ１，Ｂ１方向に沿って延在するように滑らかな曲線を描いて湾曲するため、ケーブルガイド７部およびケーブルガイド７と駆動機構１１との間において無理な変形力が加わらない配索形態となる。このような下側ケーブル１０−１の配索形態に合わせて、弾性突出部１２の付勢方向が下側ケーブル１０−１の湾曲の度合いを大きくする矢印Ｆ１方向に設定されているため、下側ケーブル１０−１を複雑に変形させることがない。同様に、上側ケーブル１０−２も無理な変形力が加わらない配索形態となり、弾性突出部１３によって付勢されても複雑に変形されることがない。これらの結果、ケーブル１０−１，１０−２は、無理な変形力が作用しない自然な形態に近い配索形態となって、ウィンドウパネルをよりスムーズに移動させることができる。
【００２１】
（他の実施形態）
ガイドレールの形状および配備数は任意であり、本発明は、例えば１本のガイドレールを備えたウィンドウレギュレータにも適用することができる。また、ケーブル部材は、必ずしもアウターケーシングを備えていなくてもよく、その場合には、軸線方向に移動されるケーブル部材の外周部に対して、弾性突出部によって直接緊張力を付与すればよい。
【００２２】
【発明の効果】
以上説明したように、本発明は、ケーブル部材を緊張させる方向に付勢する弾性突出部を樹脂製のモジュールベースに一体的に形成することにより、きわめて簡単な構成によってケーブル部材に緊張力を付与することができ、しかもスプリングを用いた場合のような異音の発生もなく、ウィンドウレギュレータの動作時における静音化を実現することができる。
【００２３】
また、弾性突出部は、ケーブル部材のアウターケーシングの外周部を保持するものであってもよい。
【００２４】
また、弾性突出部に、ケーブル部材を弾性的に保持する保持部を一体的に形成することにより、構成の複雑化を招くことなくケーブル部材を抜け止めすることができる。
【００２５】
また、ケーブルガイドと駆動部との間におけるケーブル部材の部位を、その両端部がケーブルガイドに対する入出方向、および駆動部に対する入出方向に沿って延在するように、滑らかな曲線を描いて湾曲させ、その湾曲の度合いを大きくする方向に弾性突出部によってケーブル部材を付勢させることにより、ケーブル部材の大きな曲げ変形を回避して、ウィンドウパネルをよりスムーズに移動させることができる。
【図面の簡単な説明】
【図１】本発明の一実施形態のウィンドウレギュレータの正面図である。
【図２】図１における弾性突出部の周辺部分の拡大斜視図である。
【図３】図１における弾性突出部の拡大断面図である。
【符号の説明】
１  モジュールベース
２，３  ガイドレール
４，５  キャリア（移動部材）
６，７，８，９  ケーブルガイド
１０  ケーブル（ケーブル部材）
１０Ａ  アウターケーシング
１０−１  下側ケーブル（下側部分）
１０−２  上側ケーブル（上側部分）
１１  駆動機構（駆動部）
１１Ａ  ドラム（ドラム部材）
１２，１３  弾性突出部
１２Ａ，１３Ａ  フック部（保持部）
【図１】
2005023599.tif 000003
【図２】
2005023599.tif 000004
【図３】
2005023599.tif 000005